(57)【要約】【課題】装置本体にスタンドを連結する作業の簡易化を図ることが出来る画像表示装置を提供する。【解決手段】本発明に係る画像表示装置は、装置本体と、該装置本体を支持すべきスタンド２とを具え、装置本体のバックキャビネットの底面には、スタンド２の頭部２２が嵌合可能な凹部が形成され、バックキャビネットの凹部とスタンド２の頭部２２には、バックキャビネットの凹部にスタンド２の頭部２２が圧入されることによって互いに圧着すべきテーパ状の摺接面と摺接受け面とが形成され、摺接面と摺接受け面の互いの圧着によってスタンド２上に装置本体が支持される。【選択図】図１１
2011075639.tif 000002
【特許請求の範囲】
【請求項１】
装置本体と、該装置本体を支持すべきスタンドとを具え、装置本体は、フロントキャビネットとバックキャビネットを互いに接合してなる筐体の内部に、平面型のディスプレイを配備して構成され、フロントキャビネットには、前記ディスプレイの画像を表示するための画像表示窓が設けられている画像表示装置において、
バックキャビネットの底面には、スタンドの頭部が嵌合可能な凹部が形成され、バックキャビネットの凹部とスタンドの頭部には、バックキャビネットの凹部にスタンドの頭部が圧入されることによって互いに圧着すべきテーパ状の摺接面と摺接受け面とが形成され、摺接面と摺接受け面の互いの圧着によってスタンド上に装置本体が支持されることを特徴とする画像表示装置。
【請求項２】
スタンドの頭部には、スタンドの底面と直交する方向に伸びるガイド溝が形成される一方、バックキャビネットの底部には、前記溝に嵌合可能な直方体状の固定リブが形成され、前記ガイド溝を形成する２つの互いに対向する内壁面は、上端から下端に向かって徐々に間隔が縮小して、該内壁面によって前記摺接受け面が形成されると共に、前記固定リブを形成する２つの互いに逆向きの外壁面によって前記摺接面が形成されている請求項１に記載の画像表示装置。
【請求項３】
スタンドの頭部は直方体状を呈して、互いに交叉する２つの外壁面を有し、両外壁面にそれぞれ前記ガイド溝が凹設され、バックキャビネットの凹部は、互いに交叉する２つの内壁面を有し、両内壁面にそれぞれ前記固定リブが突設されている請求項２に記載の画像表示装置。
【請求項４】
スタンドの頭部の上面には少なくとも１つの突片が形成されると共に、バックキャビネットの凹部には、スタンドの頭部の上面と対向する壁面に、前記突片が嵌入可能な開口部が形成されている請求項３に記載の画像表示装置。
【発明の詳細な説明】
【技術分野】
【０００１】
本発明は、テレビジョン受像機や画像モニター等の画像表示装置に関するものである。
【背景技術】
【０００２】
一般にテレビジョン受像機においては、フロントキャビネットとバックキャビネットを互いに接合して薄型の筐体が構成され、該筐体の内部に、平面型のディスプレイと左右一対のスピーカとが配備されている。そして、フロントキャビネットには、ディスプレイの画像を表示するための画像表示窓が設けられると共に、該画像表示窓の下方位置に、左右一対のスピーカから発せられる音波を放出するための放音孔が開設されている。
【０００３】
この様なテレビジョン受像機においては、受像機本体をスタンドにより支持して自立させた状態で使用することが可能となっているが、テレビジョン受像機の製造ラインにおいても、受像機本体にスタンドを取り付けて、自立状態で部品の組み付け作業が行なわれる。この場合、ねじ等の締結部材を用いて受像機本体にスタンドが連結される。
【０００４】
又、工場から出荷する場合には、受像機本体とスタンドとを別個に梱包することで輸送コストの削減が図られる(特許文献１参照)。そして、ユーザ側の作業にて、ねじ等の締結部材を用いて受像機本体にスタンドが連結される。
【先行技術文献】
【特許文献】
【０００５】
【特許文献１】特開２００９−１７１５１９号公報
【発明の概要】
【発明が解決しようとする課題】
【０００６】
しかしながら、ねじ等の締結部材を用いて受像機本体にスタンドを連結する作業は生産効率の低下を招くばかりでなく、ユーザにとっても組立作業が煩雑であるという問題があった。
そこで本発明の目的は、装置本体にスタンドを連結する作業の簡易化を図ることが出来る画像表示装置を提供することである。
【課題を解決するための手段】
【０００７】
本発明に係る画像表示装置は、装置本体と、該装置本体を支持すべきスタンドとを具え、装置本体は、フロントキャビネットとバックキャビネットを互いに接合してなる筐体の内部に、平面型のディスプレイを配備して構成され、フロントキャビネットには、前記ディスプレイの画像を表示するための画像表示窓が設けられている。
【０００８】
バックキャビネットの底面には、スタンドの頭部が嵌合可能な凹部が形成され、バックキャビネットの凹部とスタンドの頭部には、バックキャビネットの凹部にスタンドの頭部が圧入されることによって互いに圧着すべきテーパ状の摺接面と摺接受け面とが形成され、摺接面と摺接受け面の互いの圧着によってスタンド上に装置本体が支持される。
【０００９】
上記画像表示装置によれば、バックキャビネットの凹部にスタンドの頭部が圧入されることによって、テーパ状の摺接面と摺接受け面とが互いに圧着し、これによってスタンド上に装置本体が支持されるので、ねじ等の締結部材による締結作業は省略し、若しくは従来よりも少ない本数の締結部材を用いた締結作業で済む。
【００１０】
具体的態様において、スタンドの頭部には、スタンドの底面と直交する方向に伸びるガイド溝が形成される一方、バックキャビネットの底部には、前記ガイド溝に嵌合可能な直方体状の固定リブが形成され、前記ガイド溝を形成する２つの互いに対向する内壁面は、上端から下端に向かって徐々に間隔が縮小して、該内壁面によって前記テーパ状の摺接受け面が形成されると共に、前記固定リブを形成する２つの互いに逆向きの外壁面によって前記摺接面が形成されている。
該具体的態様によれば、バックキャビネットの固定リブをスタンドのガイド溝に圧入することによって、固定リブを形成する２つの外壁面がガイド溝を形成する２つの内壁面にそれぞれ圧着状態で摺接する。
【００１１】
更に具体的な態様において、スタンドの頭部は直方体状を呈して、互いに交叉する２つの外壁面を有し、両外壁面にそれぞれ前記ガイド溝が凹設され、バックキャビネットの凹部は、互いに交叉する２つの内壁面を有し、両内壁面にそれぞれ前記固定リブが突設されている。
該具体的態様によれば、バックキャビネットの２つの固定リブをスタンドの２つのガイド溝にそれぞれ圧入することによって、各固定リブを形成する２つの外壁面が各ガイド溝を形成する２つの内壁面にそれぞれ圧着状態で摺接する。これによって、スタンド上のバックキャビネットは、水平面上の２軸方向の変位が拘束される。
【００１２】
又、更に具体的な態様において、スタンドの頭部の上面には少なくとも１つの突片が形成されると共に、バックキャビネットの凹部には、スタンドの頭部の上面と対向する壁面に、前記突片が嵌入可能な開口部が形成されている。
該具体的態様によれば、スタンドの突片がバックキャビネットの開口部に嵌入することによって、スタンド上のバックキャビネットは傾くことなく安定した姿勢に支持される。
【発明の効果】
【００１３】
本発明に係る画像表示装置によれば、受像機本体にスタンドを連結する場合、バックキャビネットの凹部にスタンドの頭部を圧入するだけでよく、若しくは従来よりも少ない本数の締結部材を用いた締結で済むので、連結作業は従来よりも簡易なものとなる。
【図面の簡単な説明】
【００１４】
【図１】図１は、本発明に係る画像表示装置の正面図である。
【図２】図２は、該画像表示装置を前面側から見た斜視図である。
【図３】図３は、該画像表示装置を背面側から見た斜視図である。
【図４】図４は、該画像表示装置の縦断面図である。
【図５】図５は、筐体とスタンドの分解状態を示す背面図である。
【図６】図６は、筐体とスタンドの組立状態を背面側から見た斜視図である。
【図７】図７は、バックキャビネットを背面側から見た斜視図である。
【図８】図８は、バックキャビネットの内面を示す斜視図である。
【図９】図９は、バックキャビネットの要部を示す斜視図である。
【図１０】図１０は、スタンドを背面側から見た斜視図である。
【図１１】図１１は、スタンドを前面側から見た斜視図である。
【図１２】図１２は、筐体とスタンドの係合状態を示す縦断面図である。
【図１３】図１３は、筐体とスタンドの係合状態を示す他の縦断面図である。
【図１４】図１４は、筐体とスタンドの係合状態を示す水平断面図である。
【発明を実施するための形態】
【００１５】
以下、本発明の実施の形態につき、図面に沿って具体的に説明する。
本発明に係る画像表示装置は、図１〜図３に示す如く、画像表示窓(11)を有する扁平な筐体(１)と、該筐体(１)を一定の高さ位置に支持するスタンド(２)とを具え、該筐体(１)は、フロントキャビネット(３)とバックキャビネット(４)を互いに接合して構成されている。フロントキャビネット(３)には、画像表示窓(11)の下方に露出する左右一対の放音孔(12)(12)が開設されている。
【００１６】
図４に示す如く、フロントキャビネット(３)のフロントパネル部(31)とバックキャビネット(４)のバックパネル部(41)との間には、各種部品の収容空間が形成されている。
そして、フロントキャビネット(３)の内部に平面型のディスプレイ(５)が配備されると共に、バックキャビネット(４)の底部には、左右一対となるスピーカユニット(６)(６)が配備され、各スピーカユニット(６)には、前記放音孔(12)へ音波を導くための導音ブラケット(７)が取り付けられている。
【００１７】
図７に示す如く、バックキャビネット(４)のバックパネル部(41)には、その背面側及び底面側に開口する凹部(43)が形成されると共に、該バックパネル部(41)の内面には、凹部(43)と背中合わせの位置に、図８に示す如く補強リブ(44)が形成されている。
【００１８】
バックキャビネット(４)のバックパネル部(41)の凹部(43)には、図９に示す如くその両側部に、一対の直方体状の第１固定リブ(45)(45)が突設されると共に、凹部(43)の両側壁にはそれぞれ、第１固定リブ(45)の外壁面(45a)と対向して、上下で一対の第２固定リブ(46)(46)が突設されている。
更に、バックパネル部(41)の凹部(43)の天井壁には、４つの開口部(47)が形成されている。
【００１９】
バックキャビネット(４)の第１固定リブ(45)を形成する２つの互いに逆向きの外壁面(45a)(45a)は、上端から下端に向かって徐々に間隔が縮小して、テーパ面を形成している。
又、バックキャビネット(４)の第２固定リブ(46)(46)を形成する２つの互いに逆向きの外壁面も同様に、上端から下端に向かって徐々に間隔が縮小して、テーパ面を形成している。
【００２０】
一方、スタンド(２)は、図１０及び図１１の如くベース部(21)と頭部(22)を具え、頭部(22)は、前記バックキャビネット(４)の凹部(43)に嵌入可能な直方体状を呈している。
スタンド(２)の頭部(22)には、その前面及び上面に開口する左右一対の第１ガイド溝(24)(24)が形成されており、該第１ガイド溝(24)は前記バックキャビネット(４)の第１固定リブ(45)が嵌入可能な形状を有している。
【００２１】
又、スタンド(２)の頭部(22)には、その側面及び上面に開口する左右一対の第２ガイド溝(25)(25)が形成されており、該第２ガイド溝(25)は前記バックキャビネット(４)の第２固定リブ(46)が嵌入可能な形状を有している。
更に、スタンド(２)の上面には、前記バックキャビネット(４)の開口部(47)に嵌入可能な４つの突片(23)が上向きに突設されている。
【００２２】
図１１に示す様に、スタンド(２)の第１ガイド溝(24)を形成する２つの互いに対向する内壁面(24a)(24a)は、上端から下端に向かって徐々に間隔が縮小して、テーパ面を形成している。
又、図１０に示す様に、スタンド(２)の第２ガイド溝(25)を形成する２つの互いに対向する内壁面(25a)(25a)も同様に、上端から下端に向かって徐々に間隔が縮小して、テーパ面を形成している。
【００２３】
筐体(１)にスタンド(２)を取り付ける場合は、図５に示す如くスタンド(２)の頭部(22)に筐体(１)の凹部(43)を嵌合させた後、図６に示す如く４本のビス(８)によって筐体(１)にスタンド(２)を固定する。
【００２４】
スタンド(２)の頭部(22)に筐体(１)の凹部(43)を嵌合させる過程で、バックキャビネット(４)の第１固定リブ(45)の外壁面(45a)(45a)がスタンド(２)の第１ガイド溝(24)の内壁面(24a)(24a)に摺接すると共に、バックキャビネット(４)の第２固定リブ(46)がスタンド(２)の第２ガイド溝(25)の内壁面(25a)(25a)に摺接する。
【００２５】
そして、図１２〜図１４に示す如くスタンド(２)の頭部(22)に筐体(１)の凹部(43)が所定深さまで嵌合すると、バックキャビネット(４)の第１固定リブ(45)の外壁面(45a)(45a)がスタンド(２)の第１ガイド溝(24)の内壁面(24a)(24a)に圧着すると共に、バックキャビネット(４)の第２固定リブ(46)がスタンド(２)の第２ガイド溝(25)の内壁面(25a)(25a)に圧着する。又、バックキャビネット(４)の開口部(47)にスタンド(２)の突片(23)が嵌入する。
【００２６】
この結果、スタンド(２)上の筐体(１)は、水平面上の２軸方向の変位が拘束されると共に、傾き方向にも変位が拘束されて、図６の如くビス(８)による締結を行なうまでもなく、スタンド(２)上に安定した姿勢で支持されることなる。
従って、製造工程において、バックキャビネット(４)にスタンド(２)を取り付けて自立状態で部品の組み付け作業を行なう場合には、ビス(８)を用いた締結は不要である。
【００２７】
又、ユーザ側で筐体(１)にスタンド(２)を連結して使用するために、図６の如く複数本のビス(８)を用いた締結作業を行なう場合には、従来よりも少ない本数のビス(８)を用いた締結で済む。従って、ユーザの作業は簡易なものとなる。
【符号の説明】
【００２８】
(１)  筐体
(３)  フロントキャビネット
(４)  バックキャビネット
(41)  バックパネル部
(42)  底壁部
(43)  凹部
(45)  第１固定リブ
(46)  第２固定リブ
(47)  開口部
(２)  スタンド
(21)  ベース部
(22)  頭部
(23)  突片
(24)  第１ガイド溝
(25)  第２ガイド溝
【図１】
2011075639.tif 000003
【図２】
2011075639.tif 000004
【図３】
2011075639.tif 000005
【図４】
2011075639.tif 000006
【図５】
2011075639.tif 000007
【図６】
2011075639.tif 000008
【図７】
2011075639.tif 000009
【図８】
2011075639.tif 000010
【図９】
2011075639.tif 000011
【図１０】
2011075639.tif 000012
【図１１】
2011075639.tif 000013
【図１２】
2011075639.tif 000014
【図１３】
2011075639.tif 000015
【図１４】
2011075639.tif 000016